(57)【要約】【課題】発光型ディスプレイ部を有効に利用して、ステージ部における実演をより一層盛り上げることの可能なステージ設備。【解決手段】実演が可能なステージ部Ｓと、画像表示が可能な発光型ディスプレイ部Ｄを備えているステージ設備であって、発光型ディスプレイ部Ｄが、移動設置機構８を備えていて、ステージ部Ｓの前面に位置してステージ部Ｓを覆い隠す閉鎖設置位置Ａと、ステージ部Ｓの前面を開放して実演の鑑賞を可能にし、かつ、ステージ部Ｓの近傍に位置する開放設置位置Ｂとに位置変更設置自在に構成されている。【選択図】　　　　図１
2004135931.tif 000002
【特許請求の範囲】
【請求項１】
実演が可能なステージ部と、画像表示が可能な発光型ディスプレイ部を備えているステージ設備であって、
前記発光型ディスプレイ部が、移動設置機構を備えていて、前記ステージ部の前面に位置してステージ部を覆い隠す閉鎖設置位置と、前記ステージ部の前面を開放して実演の鑑賞を可能にし、かつ、前記ステージ部の近傍に位置する開放設置位置とに位置変更設置自在に構成されているステージ設備。
【請求項２】
前記ステージ部が、互いに近接する第１ステージ部と第２ステージ部との少なくとも２つのステージ部を備え、前記発光型ディスプレイ部が、その少なくとも２つのステージ部の前面間で位置変更設置自在に構成されている請求項１に記載のステージ設備。
【請求項３】
前記少なくとも２つのステージ部が、同じ建物内に隣接して設けられ、各ステージ部での実演が、前記建物の外部から鑑賞できるように構成されている請求項２に記載のステージ設備。
【発明の詳細な説明】
【０００１】
【発明の属する技術分野】
本発明は、実演が可能なステージ部と、画像表示が可能な発光型ディスプレイ部を備えているステージ設備に関する。
【０００２】
【従来の技術】
この種のステージ設備としては、従来、ステージ部の横などに発光型ディスプレイ部を固定的に設置し、ステージ部での実演を発光型ディスプレイ部に表示して、観客がステージ部での実演と発光型ディスプレイによる画像表示を同時に鑑賞できるように構成したものが知られている。
【０００３】
【発明が解決しようとする課題】
この従来のステージ設備によれば、ステージ部における実演の準備進行時などにおいて、例えば、その実演に関連する画像を発光型ディスプレイ部に表示することによって観客の注意を惹きつけると同時に、つぎの実演に対する期待感を持たせて実演を盛り上げることが可能となる。
しかし、ステージ部における準備の進行や実演途中でのステージ設備の変更などが観客の目に直接触れると、観客の興味を削ぐ可能性があり、それを回避するためには緞帳などが必要で、この点に改良の余地があった。
【０００４】
本発明は、このような従来の問題点に着目したもので、その目的は、発光型ディスプレイ部を有効に利用して、ステージ部における実演をより一層盛り上げることの可能なステージ設備を提供することにある。
【０００５】
【課題を解決するための手段】
請求項１の発明の特徴構成は、実演が可能なステージ部と、画像表示が可能な発光型ディスプレイ部を備えているステージ設備であって、前記発光型ディスプレイ部が、移動設置機構を備えていて、前記ステージ部の前面に位置してステージ部を覆い隠す閉鎖設置位置と、前記ステージ部の前面を開放して実演の鑑賞を可能にし、かつ、前記ステージ部の近傍に位置する開放設置位置とに位置変更設置自在に構成されているところにある。
【０００６】
請求項１の発明の特徴構成によれば、発光型ディスプレイ部が、移動設置機構を備えていて、ステージ部の前面に位置してステージ部を覆い隠す閉鎖設置位置に位置変更設置自在に構成されているので、例えば、ステージ部での実演の準備進行時や実演途中でのステージ設備の変更時などにおいて、発光型ディスプレイ部を閉鎖設置位置に位置させることにより、特別な緞帳などを必要とすることなく、ステージ部での準備状況などを観客の目から覆い隠して、観客の興味が削がれることを回避すると同時に、実演に関連する画像を発光型ディスプレイ部に表示することにより、観客の注意をステージ部に惹きつけて、つぎの実演を盛り上げることができる。
そして、その発光型ディスプレイ部が、ステージ部の前面を開放して実演の鑑賞を可能にし、かつ、ステージ部の近傍に位置する開放設置位置に位置変更設置自在に構成されているので、実演が行われている間、観客はステージ部での実演と発光型ディスプレイによる画像表示を同時に鑑賞することができ、その結果、ステージ部における実演をより一層盛り上げることが可能となる。
【０００７】
請求項２の発明の特徴構成は、前記ステージ部が、互いに近接する第１ステージ部と第２ステージ部との少なくとも２つのステージ部を備え、前記発光型ディスプレイ部が、その少なくとも２つのステージ部の前面間で位置変更設置自在に構成されているところにある。
【０００８】
請求項２の発明の特徴構成は、ステージ部が、互いに近接する第１ステージ部と第２ステージ部との少なくとも２つのステージ部を備え、発光型ディスプレイ部が、その少なくとも２つのステージ部の前面間で位置変更設置自在に構成されているので、例えば、複数のグループによりコンサートやライブを実演する場合、あるグループが第１ステージ部で実演している間、発光型ディスプレイ部を第２ステージ部の前面に位置させて、その実演を発光型ディスプレイ部に表示するとともに、第２ステージ部において他のグループの実演準備を進行し、さらに、第２ステージ部で実演している間、第１ステージ部において更に別のグループの実演準備を進行することも可能となる。
したがって、観客側からすれば、実演の準備などによって興味を削がれることもなく、複数のグループによるコンサートやライブを連続的に鑑賞することができる。
【０００９】
請求項３の発明の特徴構成は、前記少なくとも２つのステージ部が、同じ建物内に隣接して設けられ、各ステージ部での実演が、前記建物の外部から鑑賞できるように構成されているところにある。
【００１０】
請求項３の発明の特徴構成によれば、少なくとも２つのステージ部が、同じ建物内に隣接して設けられているので、ステージ部での照明などに要する電力は、建物側から容易に供給することができ、しかも、各ステージ部での実演が、建物の外部から鑑賞できるので、たとえ街中であっても、野外コンサートや野外ライブの感覚で実演を鑑賞することができる。
【００１１】
【発明の実施の形態】
本発明によるステージ設備の実施の形態を図面に基づいて説明する。
このステージ設備は、例えば、図１および図２に示すように、建物の一例である縦長形状のビルＢＬに設置されるもので、そのビルＢＬの二階部分が、コンサートやライブを実演したり、ラジオやテレビの番組を実演したり、あるいは、各種展示品をプレゼンテーションして実演するステージ部Ｓに構成され、そのステージ部Ｓを備えた二階部分において、ビルＢＬに隣接する公園Ｐ側のほぼ全面にわたって開口部１が設けられ、ステージ部Ｓにおける実演を公園Ｐから鑑賞できるように構成されている。
【００１２】
ビルＢＬの公園Ｐ側の面には、上下方向に沿う左右一対のガイドレール２が、ビルＢＬの二階部分と三階部分とにわたって配設され、可動パネル３が、その一対のガイドレール２に沿って上下方向にスライド移動自在に配設されている。
その可動パネル３は、横幅がビルＢＬの横幅とほぼ同じ幅に構成され、可動パネル３が下降して、その下端部が二階ステージ部Ｓの床Ｆの前端部分に接地した状態で、二階の開口部１の全面を覆うに足る高さに設定されて、その可動パネル３の公園Ｐ側のほぼ全面にＬＥＤで構成された発光型ディスプレイ部Ｄが形成され、可動パネル３の下端部両脇にスピーカ４が埋め込まれている。
【００１３】
可動パネル３の上端部には、左右一対の昇降用ワイヤ５が取り付けられ、その昇降用ワイヤ５が、滑車６により方向を変更されて、ビルＢＬの四階部分に設置された昇降駆動装置７に連動連結され、これら昇降駆動装置７や昇降用ワイヤ５などにより、発光型ディスプレイＤを有する可動パネル３を移動させて設置位置を変更する移動設置機構８が構成されている。
すなわち、昇降駆動装置７の正逆転駆動により可動パネル３を昇降操作することによって、図１の（イ）に示すように、可動パネル３前面の発光型ディスプレイ部Ｄが、ステージ部Ｓの前面に位置してステージ部Ｓを覆い隠す閉鎖設置位置Ａと、図１の（ロ）に示すように、ステージ部Ｓの前面を開放してステージ部Ｓでの実演を公園Ｐから鑑賞可能にして、ステージ部Ｓの近傍である三階部分に位置する開放設置位置Ｂとに位置変更設置自在に構成されている。
【００１４】
二階ステージ部Ｓの床Ｆには、可動式の手摺り９が設けられ、床Ｆに埋設された油圧シリンダ１０によって、図２において仮想線で示す床Ｆの前端部分と、図２において実線で示す内側へ引退した位置とに位置変更固定自在に構成されている。
そして、四階に設置された昇降駆動装置７は、公園Ｐ側から目立たないようにアルミルーバ１１で覆われ、図示はしないが、発光型ディスプレイ部Ｄへの電力の供給および音声や映像などの情報伝達は、ビルＢＬ内の送電設備および音声映像情報送信手段からケーブルを介して伝達されるように構成されている。
【００１５】
このような構成のステージ設備によれば、発光型ディスプレイ部Ｄを閉鎖設置位置Ａに位置させることにより、例えば、ステージ部Ｓでの実演の準備状況を観客の目から覆い隠して進行することができるとともに、発光型ディスプレイ部Ｄに実演に関する画像を表示することにより、観客の注意をステージ部Ｓに惹きつけることができる。
そして、発光型ディスプレイ部Ｄを開放設置位置Ｂに位置させることにより、ステージ部Ｓにおける実演の鑑賞を可能にし、同時に、その実演を発光型ディスプレイ部Ｄに表示することにより、ディスプレイ部Ｄによる画像をも鑑賞することができ、その際、可動式の手摺り９をステージ部Ｓの床Ｆの前端部分に位置させることによって、ステージ部Ｓを広く使用することができる。
【００１６】
〔別実施形態〕
つぎに、別の実施形態について説明するが、重複説明を避けるため、先の実施形態で説明した構成部品や同じ作用を有する構成部品については、同じ符号を付すことで説明を省略し、主として先の実施形態と異なる構成について説明する。
【００１７】
（１）先の実施形態では、ひとつのビルＢＬ内にステージ部Ｓをひとつだけ設けた例を示したが、同じビルＢＬ内に複数のステージ部を設けて実施することもできる。
例えば、図３に示すように、ビルＢＬの二階部分に第１ステージ部Ｓ１を設け、その二階の第１ステージ部Ｓ１に隣接する三階部分に第２ステージ部Ｓ２を設け、移動設置機構８によって、図３の（ロ）に示すように、発光型ディスプレイ部Ｄを有する可動パネル３を第１ステージ部Ｓ１の前面と、図３の（イ）に示すように、第２ステージ部Ｓ２の前面との間で位置変更設置自在に構成することもできる。
また、図４の（イ）、（ロ）に示すように、ビルＢＬの二階部分に互いに隣接する第１ステージ部Ｓ１と第２ステージ部Ｓ２を設けて、発光型ディスプレイ部Ｄを有する可動パネル３を第１ステージ部Ｓ１の前面と第２ステージ部Ｓ２の前面との間で位置変更設置自在に構成することもできる。
なお、これら図３と図４に示す別の実施形態では、ステージ部Ｓを第１と第２の２つのステージ部Ｓ１，Ｓ２により構成した例を示したが、３つ以上のステージ部で構成することもできる。
【００１８】
（２）これまでの実施形態では、ビルＢＬ内にステージ部Ｓ，Ｓ１，Ｓ２を設けた例を示したが、図５に示すように、ビルＢＬとは無関係な状態で、本来ひとつのステージ部を第１ステージ部Ｓ１と第２ステージ部Ｓ２とに区画して、図外の移動設置機構８によって、図５の（ロ）に示すように、発光型ディスプレイ部Ｄを有する可動パネル３を第１ステージ部Ｓ１の前面と、図５の（イ）に示すように、第２ステージ部Ｓ２の前面との間で位置変更設置自在に構成して実施することもでき、この場合にも、ステージ部を３つ以上のステージ部に区画して実施することもできる。
【図面の簡単な説明】
【図１】ステージ設備を有するビルの正面図
【図２】ステージ設備を有するビルの縦断側面図
【図３】別の実施形態によるステージ設備を有するビルの正面図
【図４】別の実施形態によるステージ設備を有するビルの正面図
【図５】別に実施形態によるステージ設備の斜視図
【符号の説明】
８　　　　移動設置機構
Ａ　　　　閉鎖設置位置
Ｂ　　　　開放設置位置
ＢＬ　　　建物
Ｄ　　　　発光型ディスプレイ部
Ｓ　　　　ステージ部
Ｓ１　　　第１ステージ部
Ｓ２　　　第２ステージ部
【図１】
2004135931.tif 000003
【図２】
2004135931.tif 000004
【図３】
2004135931.tif 000005
【図４】
2004135931.tif 000006
【図５】
2004135931.tif 000007